(57)【要約】【課題】新規な吊子固定ピンを用いることにより、上葺き側の吊子を簡単かつ確実に取り付けることのできる二重葺き折板屋根の支持具を提供する。【解決手段】この支持具２０は、対面する左右一対のブロック３０間に上葺き側の吊子１６の脚部１６１を挟持した状態で、この脚部１６１に形成された挿通孔１６２と、この挿通孔１６２に孔中心を一致させて両ブロック３０を貫通するように形成された吊子固定ピン貫通孔３７に、一方のブロック３０の側方から、軸部６１の先端に抜け止め手段６３の設けられた吊子固定ピン６０を挿入することにより、上葺き側の吊子１６を両ブロック３０間に固定するものである。【選択図】図３
2004156285.tif 000002
【特許請求の範囲】
【請求項１】
対面する左右一対のブロックによって下葺き側の折板屋根のはぜ継ぎ部及び上葺き側の折板屋根の吊子をそれぞれ挟持するとともに、これら左右のブロックを貫通する締結ボルト・ナットによって両ブロックを締結するように構成された二重葺き折板屋根の支持具において、
両ブロック間に上葺き側の吊子の脚部を挟持した状態で、この脚部に形成された挿通孔と、この挿通孔に孔中心を一致させて両ブロックを貫通するように形成された吊子固定ピン貫通孔に、一方のブロックの側方から、軸部の先端に抜け止め手段の設けられた吊子固定ピンを挿入することにより、上葺き側の吊子が両ブロック間に固定されることを特徴とする二重葺き折板屋根の支持具。
【請求項２】
吊子固定ピンの抜け止め手段は、吊子固定ピンの軸部の先端に組み込まれて軸部の外方に出没するように保持された係止片と、この係止片を軸部の外方に突出させるように付勢する弾性体とからなるものである請求項１に記載の二重葺き折板屋根の支持具。
【請求項３】
吊子固定ピンの抜け止め手段は、吊子固定ピンの軸部の先端を切り起こして係止片を形成し、この係止片が、軸部の先端側を基部として、適度の弾性をもって外方に拡がるようにしたものである請求項１に記載の二重葺き折板屋根の支持具。
【請求項４】
吊子固定ピンの抜け止め手段は、吊子固定ピンの軸部の先端に、軸部の中心軸と直交する支持軸を設け、この支持軸を介して、吊子固定ピン貫通孔の直径よりも長い棒状の係止ピンを回動可能に軸支したものである請求項１に記載の二重葺き折板屋根の支持具。
【請求項５】
下葺き側の折板屋根のはぜ継ぎ部と、上葺き側の折板屋根のはぜ継ぎ部とが、請求項１乃至５のいずれかに記載の二重葺き折板屋根の支持具を介して連結されたことを特徴とする二重葺き折板屋根の屋根葺き構造。
【発明の詳細な説明】
【０００１】
【発明の属する技術分野】
本発明は、下葺き折板屋根の上に上葺き折板屋根を葺設して形成される、いわゆる二重葺き折板屋根の支持具と、これを利用した二重葺き折板屋根の屋根葺き構造に関する。
【０００２】
【従来の技術】
金属製の折板屋根材をはぜ継ぎして葺設される折板屋根において、特に高い断熱・防音効果を得るため、折板屋根材を二重葺きし、下葺き屋根と上葺き屋根との間にグラスウール等の断熱防音材を配置するという屋根葺き構造が採用されている（例えば、特許文献１及び２参照。）。かかる二重葺き折板屋根の基本的な屋根葺き構造を図７に示す。
【０００３】
この屋根葺き構造は、まず、タイトフレーム１１の頂部に配置した下葺き側の吊子１２を介して下葺き側の屋根材１３をはぜ継ぎし、次いで、下葺き側のはぜ継ぎ部１４に図示のような支持具２を取り付けるとともに、下葺き側の屋根材１３の表面に断熱防音材１５を敷設し、この支持具２に上葺き側の吊子１６を挟み込んで固定しながら、その吊子１６を介して上葺き側の屋根材１７をはぜ継ぎする、というものである。
【０００４】
支持具２は、サドルとも称される合成樹脂製のブロック３を左右一対にして対面させ、これら両ブロック３，３を締結ボルト４１・ナット４２によって締結するように構成されている。
【０００５】
左右のブロック３の対面する接面部３１の下部には、接面状態で断面略Ｔ字状をなす凹部３２が形成されている。そして、この凹部３２に下葺き側のはぜ継ぎ部１４が挟持され、両ブロック３，３を貫通するボルトまたはタッピングビス４３によって、両ブロック３，３と下葺き側のはぜ継ぎ部１４とが一体に固定される。
【０００６】
また、左右のブロック３の対面する接面部３１の上部には、接面状態で縦長の溝状をなす吊子挟持部３３が形成され、左右の吊子挟持部３３間に上葺き側の吊子１６の脚部１６１が挟持される。そして、この脚部１６１に形成した挿通孔１６２と、左右のブロック３を貫通するように形成したボルト貫通孔３４とを合わせて、ここに吊子固定ボルト５１を挿入し、吊子固定ボルト５１の先端にナット５２を締着することにより、上葺き側の吊子１６が両ブロック３間に固定されるようになっている。
【０００７】
【特許文献１】
実開平１−９２４１７号公報
【特許文献２】
実公平４−３０２５３号公報
【０００８】
【発明が解決しようとする課題】
前記のような支持具２を利用して二重葺き折板屋根を葺設するには、下葺き側のはぜ継ぎ部１４上に配設される多数個の支持具２のそれぞれについて、締結ボルト４１・ナット４２、タッピングビス４３、及び吊子固定ボルト５１・ナット５２の締付作業を行なう必要がある。折板屋根が葺設されるのは比較的大面積の屋根であることが多く、これらの締結具の個数は相当数にのぼるため、その締付作業が甚だ面倒であるとともに、締付作業中にナット４２，５２や座金等を落としやすいという問題があった。
【０００９】
さらに、上葺き側の吊子１６を固定するための吊子固定ボルト５１・ナット５２については、あまり強固に締着する必要がないにもかかわらず、これらを強く締めすぎてブロック３が割れてしまうおそれもあった。
【００１０】
そこで本発明は、吊子固定ボルト５１に代わる新規な吊子固定ピンを用いることにより、上葺き側の吊子１６を簡単かつ確実に取り付けることのできる二重葺き折板屋根の支持具と、これを利用した二重葺き折板屋根の屋根葺き構造を提供することを目的とする。
【００１１】
【課題を解決するための手段】
前記課題を解決するため、本発明の二重葺き折板屋根の支持具は、対面する左右一対のブロックによって下葺き側の折板屋根のはぜ継ぎ部及び上葺き側の折板屋根の吊子をそれぞれ挟持するとともに、これら左右のブロックを貫通する締結ボルト・ナットによって両ブロックを締結するように構成された二重葺き折板屋根の支持具において、両ブロック間に上葺き側の吊子の脚部を挟持した状態で、この脚部に形成された挿通孔と、この挿通孔に孔中心を一致させて両ブロックを貫通するように形成された吊子固定ピン貫通孔に、一方のブロックの側方から、軸部の先端に抜け止め手段の設けられた吊子固定ピンを挿入することにより、上葺き側の吊子が両ブロック間に固定されることを特徴とする。
【００１２】
この発明によれば、吊子固定ピンの軸部の先端に抜け止め手段が設けられているため、この吊子固定ピンを、ブロックに形成した吊子固定ピン貫通孔と、ブロック間に挟持した吊子の挿通孔に挿入するだけで、両ブロック間に上葺き側の吊子の脚部を固定することができる。この作業は、ボルト・ナットの締着を必要としないので極めて簡単であり、ボルト・ナットを締めすぎてブロックを割る心配もなくなる。
【００１３】
そして、前記吊子固定ピンの抜け止め手段は、吊子固定ピンの軸部の先端に組み込まれて軸部の外方に出没するように保持された係止片と、この係止片を軸部の外方に突出させるように付勢する弾性体とからなるものとすることができる。
【００１４】
また、前記吊子固定ピンの抜け止め手段は、吊子固定ピンの軸部の先端を切り起こして係止片を形成し、この係止片が、軸部の先端側を基部として、適度の弾性を持って外方に拡がるようにしたものとすることができる。
【００１５】
また、前記吊子固定ピンの抜け止め手段は、吊子固定ピンの軸部の先端に、軸部の中心軸と直交する支持軸を設け、この支持軸を介して、吊子固定ピン貫通孔の直径よりも長い棒状の係止ピンを回動可能に軸支したものとすることができる。
【００１６】
これらの抜け止め手段を吊子固定ピンに設けることにより、簡単な構造で使い勝手のよい支持具を得ることができる。
【００１７】
さらに、本発明の二重葺き折板屋根の屋根葺き構造は、下葺き側の折板屋根のはぜ継ぎ部と、上葺き側の折板屋根のはぜ継ぎ部とが、前記した二重葺き折板屋根の支持具を介して連結されたものであり、施工性に優れるものとなる。
【００１８】
【発明の実施の形態】
以下、本発明の実施の形態について、図面を参照しつつ説明する。なお、前記した従来の二重葺き折板屋根と機能的に共通する部位・部材には、共通の名称及び符号を使用する。
【００１９】
図１は、本発明の二重葺き折板屋根の支持具２０（以下、単に支持具２０という。）の取り付け状態を示す斜視図であり、図２は、その支持具２０を取り付けた屋根葺き構造の縦断面図、図３は、その支持具２０の分解斜視図である。
【００２０】
支持具２０は、対面して配置される左右一対のブロック３０と、これら両ブロック３０を締結するための締結ボルト４１・ナット４２及びタッピングビス４３と、これら両ブロック３０の間に上葺き側の吊子１６を挟持して固定するための吊子固定ピン６０とから構成される。
【００２１】
ブロック３０は、ＡＢＳ樹脂等からなる成形品で、左右のブロック３０の対面する接面部３１の下部には接面状態で略Ｔ字状をなす凹部３２が形成され、この凹部３２に下葺き側の折板屋根のはぜ継ぎ部１４が挟持されて、側方からタッピングビス４３が打込まれる。なお、このはぜ継ぎ部１４は、タイトフレーム１１の頂部に固定した下葺き側の吊子１２を介して、下葺き側の屋根材１３のすくい側のはぜ部とかぶせ側のはぜ部とをシーマー等によりはぜ締めして形成されるものである。
【００２２】
両ブロック３０の接面部３１の中央付近には、締結ボルト４１を貫通させるための締結ボルト貫通孔３５が、互いの孔中心を一致させて２箇所に設けられている。そして、一方のブロック３０の側方から、この締結ボルト貫通孔３５に締結ボルト４１を挿入し、その先端に他方のブロック３０の側方から座金４４を介してナット４２を締着することにより、左右のブロック３０が一体に締結される。締結ボルト貫通孔３５の外側端縁には、締結ボルト４１の頭部が嵌まり込む六角形の窪み３６が形成されており、この窪み３６は締結ボルト４１の頭部のまわり止めとなって、ナット４２の締着時に締結ボルト４１の頭部を工具等で保持しなくてもよいようになっている。
【００２３】
両ブロック３０の接面部３１の上部には、接面状態で縦長の溝状をなす吊子挟持部３３が形成され、これら左右の吊子挟持部３３間に上葺き側の吊子１６の脚部１６１が挟持される。吊子１６の脚部１６１の下部中央付近には、はぜ継ぎ部１８の延設方向に延びる長孔状の挿通孔１６２が形成されている。一方、両ブロック３０の吊子挟持部３３の中央付近には、吊子固定ピン６０を貫通させるための吊子固定ピン貫通孔３７が、互いの孔中心を一致させて設けられている。そして、吊子１６の脚部１６１が両ブロック３０の吊子挟持部３３間に挟持された状態で、吊子１６の挿通孔１６２と両ブロック３０の吊子固定ピン貫通孔３７とが一致するようになっている。
【００２４】
また、吊子１６の脚部１６１には、その一方の側面に突出するようにして、はぜ継ぎ部１８の延設方向に延びる屈曲段部１６３が形成されている。そして、一方のブロック３０の吊子挟持部３３には前記屈曲段部１６３に対応する凹溝３８が、他方のブロック３０の吊子挟持部３３には同じく突条３９が、それぞれ形成されている。これら屈曲段部１６３、凹溝３８及び突条３９は、吊子１６の脚部１６１を両ブロック３０の吊子挟持部３３間に挟持する際に吊子１６の位置決めを容易にするとともに、吊子１６の脚部１６１自体の強度を高めるのに寄与する。また、上葺き側の屋根材１７が、葺設後にはぜ継ぎ部１８の延設方向に沿って伸縮した場合、前記長穴状の挿通孔１６２とともに、その伸縮への追随を容易にする。
【００２５】
吊子固定ピン６０は、両ブロック３０の吊子固定ピン貫通孔３７を貫通しうる十分な長さの軸部６１と、その一端に形成された頭部６２とを有している。頭部６２は、吊子固定ピン貫通孔３７の径よりもやや太径に形成されている。頭部６２の反対側に位置する軸部６１の先端には抜け止め手段６３が設けられ、吊子固定ピン貫通孔３７に挿入された軸部６１が抜け出さないようになっている。
【００２６】
この抜け止め手段６３について、図４を参照しつつ説明する。
【００２７】
図示した吊子固定ピン６０の抜け止め手段６３は、円筒状の軸部６１の先端近傍に、軸部６１の長さ方向に延びる長孔６１１が形成され、軸部６１の内側に装入された係止片６３１が、この長穴から軸部６１の外方に出没するようになっている。係止片６３１は、長孔６１１に相対する軸部６１の内周面に接して上下に揺動する形状を有し、長孔６１１から突出する部分は、軸部６１の先端から頭部６２側に向かって拡大するように傾斜している。この係止片６３１は、軸部６１の内側の頭部６２寄りに装入された板バネ６３２によって、外方に突出するように常時、付勢されている。板バネ６３２は「く」の字状に折曲され、一端が係止片６３１を持ち上げるようにして係止片６３１に当接し、他端が軸部６１の頭部６２寄りに設けられた係止孔６１２に係止されて、軸部６１内で動かないように保持されている。
【００２８】
この吊子固定ピン６０をブロック３０の吊子固定ピン貫通孔３７に挿入すると、係止片６３１は軸部６１の内方に押し込まれ、軸部６１の先端が両ブロック３０を貫通して露出すると、係止片６３１が外方に突出して、吊子固定ピン貫通孔３７の外側端縁に係止される。したがって、いったん吊子固定ピン貫通孔３７に挿入された吊子固定ピン６０は、容易には抜けなくなる。
【００２９】
このように、本発明によれば、ブロック３０に形成した吊子固定ピン貫通孔３７と、ブロック３０間に挟持した吊子１６の挿通孔１６２に、一方のブロック３０の側方から吊子固定ピン６０を挿入するだけで、両ブロック３０間に吊子１６の脚部１６１を固定することができる。この作業は、ボルト・ナットの締着作業を必要とせず、また、従来のボルト、ナット、座金の３部品が吊子固定ピン６０の１本で済むので、極めて簡単であり、作業性がよい。また、吊子固定ピン６０を一方のブロック３０の側方から挿入するだけでよく、支持具２０の両側から作業する必要がないので、吊子１６に上葺き側の屋根材１７を係合させながら吊子１６を支持具２０に固定していく際にも好都合である。
【００３０】
両ブロック３０及び吊子１６を貫通した吊子固定ピン６０は、その軸方向に多少遊びのある状態となるが、締結ボルト４１・ナット４２によって両ブロック３０の中央部付近を強固に締結しておけば、特に保持強度等の面での問題はない。したがって、従来のように、吊子固定ボルト５１・ナット５２（図７）を強く締めすぎてブロック３０を割ってしまう心配もなくなる。こうして、二重葺き折板屋根の葺設作業を格段に効率化することができる。
【００３１】
なお、前記した吊子固定ピン６０における係止片６３１の形状については、軸部６１から出没して吊子固定ピン貫通孔３７の外側端縁に係止しうるものであれば、多少変形されてもよい。また、板バネ６３２の形状についても、係止片６３１を弾性的に付勢しうるものである限り、特に限定されない。あるいは、板バネ６３２に代えて、巻きバネや、適度な弾性を有する合成ゴムその他の弾性体を使用してもよい。
【００３２】
また、吊子固定ピン６０の抜け止め手段６３は、以下に示すような形態によって構成することもできる。
【００３３】
すなわち、図５に示した吊子固定ピン６０の抜け止め手段６３は、円筒状の軸部６１の先端に、この軸部６１を細長く切り起こして係止爪６３３を形成したものである。係止爪６３３は、軸部６１の先端側を基部として、頭部６２側に向かって徐々に拡がるように斜めに切り起こされており、適度の弾性を有している。
【００３４】
この吊子固定ピン６０を、ハンマで軽く叩き込むなどして吊子固定ピン貫通孔３７に挿入すると、軸部６１の先端が両ブロック３０及び吊子１６を貫通して露出したところで係止爪６３３が拡がり、吊子固定ピン貫通孔３７の外側端縁に係止されて、吊子固定ピン６０が抜けなくなる。
【００３５】
なお、図示の例では、係止爪６３３が、軸部６１の中心軸から四方に拡がるように４箇所に形成されているが、この個数は、少なくとも１箇所以上であれば特に限定されない。
【００３６】
また、図６に示した吊子固定ピン６０の抜け止め手段６３は、軸部６１の先端に、棒状の係止ピン６３４を回動可能に取り付けたものである。軸部６１の先端には、軸部６１の中心軸に平行して相対する二叉部６３５が形成され、この二叉部６３５の先端には、中心軸と直交する支持ピン６３６が取り付けられている。そして、この支持ピン６３６に係止ピン６３４が軸支され、二叉部６３５の間を自由に回動するように保持されている。この係止ピン６３４の長さは吊子固定ピン貫通孔３７の直径よりも長く形成されている。
【００３７】
吊子固定ピン６０は、係止ピン６３４を軸部６１と平行にした姿勢で吊子固定ピン貫通孔３７に挿入される。そして、先端の係止ピン６３４が両ブロック３０及び吊子１６を貫通して露出したところで、係止ピン６３４を回動させて軸部６１と直角に向けることにより、係止ピン６３４が吊子固定ピン貫通孔３７の外側端縁に係止されて抜けなくなる。
【００３８】
なお、図示の例では、二叉部６３５を軸部６１の頭部６２寄りの部分に比べてやや細径になるように形成しているが、これらは同径でも差し支えない。また、二叉部６３５の先端に支持ピン６３６を取り付ける代わりに、二叉部６３５の先端を爪状に折曲するなどして支持軸を形成し、この支持軸を介して係止ピン６３４を軸支させるようにしてもよい。
【００３９】
これら図４乃至図６に示した吊子固定ピン６０の抜け止め手段６３、又はそれらの変形例によって、簡単な構造で使い勝手のよい支持具２０を得ることができる。
【００４０】
【発明の効果】
本発明によれば、吊子固定ピンに抜け止め手段が設けられているので、左右一対のブロックに形成した吊子固定ピン貫通孔と、両ブロック間に挟持した吊子の挿通孔に、一方のブロックの側方から吊子固定ピンを挿入するだけで、両ブロック間に上葺き側の吊子の脚部を固定することができる。この作業は、ボルトやナットの締着を必要としないので極めて簡単である。また、従来のように、ボルト・ナットを強く締めすぎてブロックを割ってしまう心配もなくなる。こうして、二重葺き折板屋根の葺設作業を格段に効率化することができる。
【図面の簡単な説明】
【図１】本発明の二重葺き折板屋根の支持具の取り付け状態を示す斜視図である。
【図２】前記二重葺き折板屋根の支持具を取り付けた屋根葺き構造の縦断面図である。
【図３】前記二重葺き折板屋根の支持具の分解斜視図である。
【図４】吊子固定ピンの抜け止め手段の実施の形態を示す斜視図である。
【図５】吊子固定ピンの抜け止め手段の他の実施の形態を示す斜視図である。
【図６】吊子固定ピンの抜け止め手段のさらに他の実施の形態を示す斜視図である。
【図７】従来の二重葺き折板屋根の屋根葺き構造を示す断面図である。
【符号の説明】
１４  下葺き側の折板屋根のはぜ継ぎ部
１６  上葺き側の折板屋根の吊子
１６１  脚部
１６２  挿通孔
１８  上葺き側の折板屋根のはぜ継ぎ部
２０  支持具
３０  ブロック
３７  吊子固定ピン貫通孔
４１  締結ボルト
４２  ナット
４３  タッピングビス
６０  吊子固定ピン
６１  軸部
６３  抜け止め手段
６３１  係止片
６３２  板バネ（弾性体）
６３３  係止爪
６３４  係止ピン
６３６  支持ピン（支持軸）
【図１】
2004156285.tif 000003
【図２】
2004156285.tif 000004
【図３】
2004156285.tif 000005
【図４】
2004156285.tif 000006
【図５】
2004156285.tif 000007
【図６】
2004156285.tif 000008
【図７】
2004156285.tif 000009